(57)【要約】【課題】幼児から座高の大きい大人まで、頭部を背凭れ部から突出した状態で施術作業を行うことができるように、座面を上昇させて保持することのできる理美容椅子を提供する。【解決手段】前後に分割されて各々昇降可能に保持された前方座面７と後方座面８を有する座部２と、上記前方座面を昇降させる前方座面昇降機構９と、上記後方座面を昇降させる後方座面昇降機構１０と、上記前方座面昇降機構と上記後方座面昇降機構とを駆動する駆動手段１３と、上記前方座面昇降機構と上記後方座面昇降機構の昇降動作を制御する制御手段１７とを備えて構成される。【選択図】  図４
2004275319.tif 000002
【特許請求の範囲】
【請求項１】
前後に分割されて各々昇降可能に保持された前方座面と後方座面を有する座部と、
上記前方座面を昇降させる前方座面昇降機構と、
上記後方座面を昇降させる後方座面昇降機構と、
上記前方座面昇降機構と上記後方座面昇降機構とを駆動する駆動手段と、
上記前方座面昇降機構と上記後方座面昇降機構の昇降動作を制御する制御手段とを備える、理美容椅子における座部の昇降装置。
【請求項２】
上記前方座面と上記後方座面とを所望の同一高さに上昇させた第１の座面形態と、
上記後方座面を上記前方座面より高い位置に上昇させた第２の座面形態とを設定できる、請求項１に記載の理美容椅子における座部の昇降装置。
【請求項３】
前方座面の上昇動作に応じて上記後方座面を同じ高さに上昇させる一方、上記後方座面が上記前方座面より上方へ独立して上昇するのを許容する連結上昇手段を設けた、請求項１又は請求項２のいずれかに記載の理美容椅子における座部の昇降装置。
【請求項４】
上記連結上昇手段は、上記前方座面の後部から延出して上記後方座面に係合し、上記前方座面昇降機構によって上記後方座面を上昇させることができる一方、上記後方座面が上記前方座面より上昇する場合に後方座面から離脱させられる係合部を備えて構成される、請求項３に記載の理美容椅子における座部の昇降装置。
【請求項５】
上記前方座面昇降機構及び上記後方座面昇降機構がそれぞれ流体圧シリンダを備えて構成されているとともに、
上記係合部によって後方座面を前方座面と一体的に上昇させるとき、上記前方座面昇降機構の流体圧シリンダに圧力作動流体を注入するとともに、
上記後方座面昇降機構の流体圧シリンダは、圧力の作用しない作動流体を吸引しながら上昇できるように構成されている、請求項４に記載の理美容椅子における座部の昇降装置。
【請求項６】
上記流体圧シリンダに油圧シリンダを採用した理美容椅子における座部の昇降装置であって、
上記後方座面を上記係合部を介して上記前方座面と一体的に上昇させるとき、上記前方座面昇降機構の油圧シリンダに圧力作動油を注入して作動させるとともに、
上記後方座面昇降機構の油圧シリンダは、オイルタンクから圧力の作用しない作動油を吸引しながら作動できるように構成されている、請求項５に記載の理美容椅子における座部の昇降装置。
【請求項７】
前後に分割されて各々昇降可能に保持された前方座面と後方座面を有する理美容椅子における座部の昇降方法であって、
上記各座面が流体圧シリンダによって昇降させられるとともに、
上記前方座面の上昇動作にともなって上記後方座面を同じ高さに上昇させる一方、
上記後方座面が上記前方座面より上方へ上昇するのを許容する、理美容椅子における座部の昇降方法。
【請求項８】
上記前方座面の上昇動作によって上記後方座面を上昇させるとき、上記前方座面の流体圧シリンダに圧力作動流体を作用させる一方、
上記後方座面の流体圧シリンダには、圧力が作用しない作動流体を吸入させる、請求項７に記載の理美容椅子における座部の昇降方法。
【発明の詳細な説明】
【０００１】
【発明の属する技術分野】
本願発明は、理美容椅子の座面昇降装置に関する。詳しくは、座面を前後に分割するとともに、これら座面を昇降させることにより、大人から子どもまでの座高に応じて座面の高さを無段階に調節できる理美容椅子の座面昇降装置に関する。
【０００２】
【従来の技術】
理美容院においては、被施術者が椅子に座った状態で施術作業が行われるが、頭髪のカット等の頭部への施術作業を行う場合には、被施術者の頭部を背凭れ部の上縁部より突出させた状態で作業を行うのが好ましい。
【０００３】
座高の高さは被施術者によって異なるため、座面の高さを調節できるように構成された理美容椅子が提供されている。
【０００４】
【特許文献１】
特公平７−６１２９５号
【特許文献２】
特開平１０−２２９９２４号
【０００５】
上記特許文献１に記載された理美容椅子は、座面を前部シートと後部シートに分割して、後部シートのみを所定の高さに上昇させることによって、通常の高さ位置より高い幼児用の座面を構成することができるように構成している。
【０００６】
一方、特許文献２に記載された理美容椅子においては、座面の全体を水平状態に保持したまま無段階に上昇させて、座高の異なる被施術者に対応できるように構成している。
【０００７】
【発明が解決しようとする課題】
幼児であっても体格や年令等によって座高の高さは異なる。また、大人における体格の差はより大きくなり、被施術者によって座高も大きく相違する。
【０００８】
ところが、上記特許文献１に記載された発明は、後部シートをある特定の高さに上昇させることより幼児に対応できるように構成しているのみである。また、上記後部シートは、幼児用に設けられたものであり、大人に適用することはできない。したがって、幼児から大人までの被施術者の座高に応じて、座面を最適な高さに保持することはできない。
【０００９】
さらに、ロングヘアの被施術者に対しては、背凭れ部の上縁部から頭部をより大きく突出させた姿勢をとらせるのが好ましい。しかしながら、上記公報に記載された理美容椅子においては、座面全体を上昇させるものではないため対応することはできない。
【００１０】
一方、特許文献２に記載された発明は、座面を水平に保持しながら無段階に昇降させることができるため、被施術者の座高の高さに応じて座面の高さを調節することができる。
【００１１】
ところが、座面の全体を上昇させるように構成しているため、幼児を座面に座らせると、幼児の背部と背凭れ部との間に隙間が生じる。このため、幼児の姿勢が不安定になり、非常に施術作業をしにくくなる。
【００１２】
しかも、上記特許文献２に記載された発明では、座面の昇降をリンク機構を用いて行っているため、昇降機構が非常に複雑になる。
【００１３】
本願発明は、上述の問題を解決するために案出されたものであって、幼児から座高の大きい大人まで、頭部を背凭れ部から突出した状態で施術作業を行うことができるように、座面を上昇させて保持することのできる理美容椅子を提供することを課題とする。
【００１４】
【課題を解決するための手段】
上記課題を解決するこめ、本願発明では、次の技術的手段を講じている。
【００１５】
本願の請求項１に記載した発明は、前後に分割されて各々昇降可能に保持された前方座面と後方座面を有する座部と、上記前方座面を昇降させる前方座面昇降機構と、上記後方座面を昇降させる後方座面昇降機構と、上記前方座面昇降機構と上記後方座面昇降機構とを駆動する駆動手段と、上記前方座面昇降機構と上記後方座面昇降機構の昇降動作を制御する制御手段とを備えて構成される。
【００１６】
本願発明に係る理美容椅子は、前後に分割された前方座面と後方座面とを備える。これら座面は、各昇降機構によって水平状態を保持した状態で独立して昇降できるように構成されている。したがって、座高の低い幼児から座高の高い大人まで、広い範囲の被施術者に対応することが可能となる。
【００１７】
上記座面の分割位置は、後方座面に幼児や小学生が腰掛けることができれば、特に限定されることはない。座面の奥行き寸法等に応じて、設定することができる。
【００１８】
上記昇降機構として、種々の機構を採用できる。たとえば、油圧、空気圧等の流体圧で作動させられる流体圧シリンダによって、上記前後の座面を昇降させるように構成することができる。また、ネジ機構やリンク機構等を用いて、機械的に昇降させるように構成することもできる。
【００１９】
上記制御手段は、上記前方座面と上記後方座面の昇降動作や昇降高さ等を制御するために設けられるものであり、上記各座面を所望の高さに調節できるように上記駆動手段を制御する。たとえば、油圧駆動される昇降機構を採用する場合には、油圧ポンプや電磁弁等の機器の作動を制御する。
【００２０】
本願発明に係る理美容椅子においては、請求項２に記載した発明のように、第１の座面形態と第２の座面形態とをとることができるように設定するのが好ましい。
【００２１】
上記第１の座面形態は、上記前方座面と上記後方座面とを所望の同一高さに上昇させるものである。主として、大人に対して施術作業を行う場合に用いられる座面形態である。座面の全体を昇降させて、被施術者の頭部が、背凭れ部の上縁部から突出する位置に上昇させて保持することにより、施術作業を円滑に行える。
【００２２】
一方、第２の座面形態は、主として幼児や小学生に対して施術作業を行う場合に用いられる。上記後方座面に腰掛けた状態で足先が上記前方座面に着くとともに、幼児等の頭部が背凭れから突出するように、上記前方座面と上記後方座面の高さを調節する。これにより、幼児に楽で安定した姿勢をとらせることが可能となり、幼児に対する施術作業を容易に行うことができる。
【００２３】
本願の請求項３に記載した発明は、前方座面の上昇動作に応じて上記後方座面を同じ高さに上昇させる一方、上記後方座面が上記前方座面より上方へ独立して上昇するのを許容する連結昇降手段を設けたものである。
【００２４】
分割した座面を独立して昇降させるように構成した場合、これら座面を同じ高さで昇降させるには、上記昇降機構を同じように作動させなければならない。しかしながら、流体圧を利用した場合等においては、二つのシリンダを同じように作動させ、同一の高さ位置で停止させるのは困難である。本願発明は、前方座面の昇降動作を利用して、後方座面を昇降させる連結上昇手段を設けたものである。
【００２５】
上記連結上昇手段として種々の手法を採用できる。たとえば、出没可能なピストンを備える電磁シリンダ等を上記前方座面に設け、突出させた上記ピストンを上記後方座面に係合させて、上記前方座面と上記後方座面とを一体的に昇降させるように構成できる。上記後方座面のみ昇降させる場合には、上記ピストンをシリンダ内に退避させて、上記後方座面のみ昇降できるように設定すればよい。
【００２６】
また、上記連結上昇手段として、請求項４に記載した発明のように、上記前方座面の後部から延出して上記後方座面に係合し、上記前方座面昇降機構によって上記後方座面を上昇させることができる一方、上記後方座面が上記前方座面より上昇する場合に離脱させられる係合部を備えて構成することができる。
【００２７】
本願発明に係る理美容椅子においては、前方座面が後方座面より高く設定されることはない。したがって、上記連結上昇手段として上記係合部を採用し、前方座面と後方座面とを一体的に昇降させる一方、後方座面の上昇を許容するように構成することができる。
【００２８】
前方座面と後方座面とを同一の高さで昇降させる場合、前方座面昇降機構のみを作動させればよい。一方、上記後方座面を上記前方座面より上方へ上昇させて、幼児や小学生用の座面形態を構成するには、後方座面昇降機構のみを作動させればよい。これにより、昇降機構の構造を簡単化することができるとともに、一つの昇降機構のみを作動させれはよいため、エネルギ効率も向上させることができる。
【００２９】
しかも、油圧等の流体圧を利用して座面を昇降させる場合には、作動流体を上記前方座面昇降機構又は後方座面昇降機構に集中させることができるため、座面の上昇スピードを高めて、作業効率を高めることができる。
【００３０】
また、シリンダ等の作動を制御して座面の高さを同一に保持する複雑な機構や制御装置を必要とすることがなくなり、装置を簡単に構成することができる。
【００３１】
本願の請求項５に記載された発明は、上記前方座面昇降機構及び上記後方座面昇降機構がそれぞれ流体圧シリンダを備えて構成されているとともに、上記係合部によって後方座面を前方座面と一体的に上昇させるとき、上記前方座面昇降機構の流体圧シリンダに圧力作動流体を注入するとともに、上記後方座面昇降機構の流体圧シリンダは、圧力の作用しない作動流体を吸引しながら上昇できるように構成されているものである。
【００３２】
油圧等の流体圧シリンダを用いて座面を上昇させる場合、前方座面昇降用の流体圧シリンダと後方座面昇降用の流体圧シリンダが必要になる。このため、これら二つ流体圧シリンダに圧力流体を注入して同時に作動させる場合、作動流体が二つのシリンダに分散されて作動スピードが低下する。一方、前方座面を昇降させるシリンダを用いて後方座面を昇降するように構成した場合でも、両方のシリンダに作動流体を注入しなければならない。
【００３３】
本願発明では、後方座面を昇降させるシリンダに、圧力の作用しない作動流体を吸入させて、後方座面昇降機構において無駄な負荷が作用しないように構成している。
【００３４】
たとえば、油圧シリンダを採用した場合には、請求項６に記載した発明のように、上記後方座面を上記係合部を介して上記前方座面と一体的に上昇させるとき、上記前方座面昇降機構の油圧シリンダに圧力作動油を注入して作動させるとともに、上記後方座面昇降機構の油圧シリンダは、オイルタンクから圧力の作用しない作動油を吸引しながら作動できるように構成することができる。これにより、後方座面を昇降させるシリンダに無用な圧力が作用することはなくなり、作動油を前方座面を上昇させるシリンダに集中させることが可能となり、座面の上昇スピードを高めることができる。
【００３５】
なお、流体圧シリンダとして空気圧シリンダを採用することもできる。空気圧シリンダを採用する場合には、上記後方座面昇降機構のシリンダが外気を吸入できるように構成すればよい。
【００３６】
本願の請求項７に記載した発明は、前後に分割されて各々昇降可能に保持された前方座面と後方座面を有する理美容椅子における座部の昇降方法であって、上記各座面が流体圧シリンダによって昇降させられるとともに、上記前方座面の上昇動作にともなって上記後方座面を同じ高さに上昇させる一方、上記後方座面が上記前方座面より上方へ上昇するのを許容する理美容椅子における座部の昇降方法に関する。
【００３７】
本願の請求項８に記載した発明は、上記前方座面の上昇動作によって上記後方座面を上昇させるとき、上記前方座面の流体圧シリンダに圧力作動流体を作用させる一方、上記後方座面の流体圧シリンダには、圧力が作用しない作動流体を吸入させる理美容椅子における座部の昇降方法に関する。
【００３８】
【発明の実施の形態】
以下、本願発明の実施の形態を図に基づいて具体的に説明する。
【００３９】
図１に示すように、本実施の形態に係る理美容椅子１は、座部２と、この座部２に回動可能に保持された背凭れ部３と、上記座部２及び上記背凭れ部３を含む椅子全体を床面に対して所定高さで保持できるベース部４とを備えて構成される。
【００４０】
上記ベース部４は、上記座部２及び上記背凭れ部３を一体的に昇降させる座部昇降シリンダ５を備え、この座部昇降シリンダを介して上記座部を所定高さに保持している。図２に示すように、上記座部昇降シリンダ５を作動させてピストン１８を延出させることにより、施術者の身長や施術内容に等に応じた高さに、椅子全体を昇降させることができる。
【００４１】
本実施の形態に係る上記座部２は、上記座部昇降シリンダ５のピストン先端部に連結保持される枠状の基部６と、上記基部６の上面において、前後方向中央部で前後に分割された前方座面７と後方座面８とを備えて構成される。
【００４２】
上記各座面７，８は、上記基部６に連結保持された前方座面昇降シリンダ９と後方座面昇降シリンダ１０の各ピストン１１，１２に連結されており、上記各昇降シリンダ９，１０によって、各座面７，８を昇降させるように構成している。
【００４３】
本実施の形態では、上記各昇降シリンダ７，８として油圧シリンダを採用しており、上記ベース部４内に設けた油圧装置１３からフレキシブルチューブ回路１４，１５を介して送られる圧力作動油によって上記ピストンを押し出すように構成されている。また、上記ベース部４には、上記油圧装置１３を制御する制御装置１７が設けられており、図示しないスイッチ等によって上記座面の昇降動作を制御できるように構成している。
【００４４】
本実施の形態では、上記前方座面７の後縁部に、上記後方座面８に係合して、上記前方座面７の昇降に応じて後方座面８を昇降させるプレート状の係合部１９が延出形成されている。一方、上記後方座面８の前縁部には、底部を切り欠いて上記係合部１９が下方から係合できる係合凹部２０が形成されている。上記係合部１９と上記係合凹部２０とを設けることにより、上記前方座面７の昇降動作によって上記後方座面８を昇降させることができる。
【００４５】
図１に示す状態から、上記前方座面昇降シリンダ９に、上記油圧装置１３から圧力作動油を注入すると、上記前方座面７が上昇させられるとともに、上記係合部１９を介して上記後方座面８が上記前方座面７と一体的に上昇させられる。これにより、図３に示すように、座高の低い被施術者２２の頭部を背凭れ部３の上縁部から突出させた状態に保持して施術作業を行うことがができる。
【００４６】
上記係合部１９は、上記係合凹部２０に対して下方に離脱できるように構成されている。したがって、上記後方座面昇降シリンダ１０に圧力作動油を注入することにより、上記後方座面８を、上記前方座面７と同一の高さから、独立して上昇させることができる。
【００４７】
図４に、上記後方座面８を上記前方座面７から上昇させた状態を示す。この図に示すように、上記後方座面８を上記前方座面７に対して上昇させることにより、幼児〜小学生に対応した座面を構成することができる。
【００４８】
上記幼児用の座面形態においては、後方座面８が実質的な座面として機能するため、座面の奥行きが小さくなる。したがって、幼児２３等の背部を上記背凭れ３に当接させて座らせることができる。また、上記前方座面７と上記後方座面８の高さの差を調節することにより、上記前方座面７を幼児２３の足置きとして機能させることができる。このため、幼児等を安定した状態で座らせて施術作業を行うことが可能となる。
【００４９】
図５に、上記各昇降シリンダ９，１０を駆動する油圧装置１３の回路図の概略示す。なお、図５に示す油圧回路１３は、上記前方座面昇降シリンダ９と上記後方座面昇降シリンダ１０を作動させる回路のみを示しているが、同じ油圧装置によって、上記座部昇降シリンダ５と、背凭れ部３の傾斜角度調節機構用の図示しないシリンダとを駆動できるように構成されている。
【００５０】
図５に示すように、上記油圧装置１３は、作動油を貯溜するオイルタンク２５と、上記オイルタンク２５に貯溜された作動油を加圧する加圧ポンプ２６と、この加圧ポンプ２６から加圧作動油を上記前方座面昇降シリンダ９及び上記後方座面昇降シリンダ１０に送る油圧回路とを備えて構成されている。上記油圧回路には、上記前方座面昇降シリンダ９を駆動させる駆動回路２７と、上記後方座面昇降シリンダ１０を駆動させる駆動回路２８とが独立して設けられている。
【００５１】
上記前方座面昇降シリンダを駆動させる回路２７には、第１の作動油供給電磁弁２９及び第１の逆止弁３０が設けられており、上記第１の作動油供給電磁弁２９を図示しない制御装置によって開動させることにより、圧力作動油が、フィルタ３１を介して上記前方座面昇降シリンダ９に供給される。これにより、前方座面昇降シリンダ９のピストン１１が上昇させられて上記前方座面７を上昇させる。また、所望の高さまで上記前方座面７を上昇させた後に、図示しないスイッチ等を操作することにより、上記第１の作動油供給電磁弁２９が閉じられて上記前方座面９が上記高さに保持される。
【００５２】
一方、上記前方座面９を下降させるには、上記第１の作動油供給電磁弁２９及び上記前方座面昇降シリンダ９への給油回路より下流側に設けた第１の作動油排出電磁弁３２を開動させる。上記第１の作動油排出電磁弁３２は、上記オイルタンク２５に連通する戻り回路３３に連結されており、上記前方座面昇降シリンダ９に注入された加圧作動油が、上記前方座面７の自重によって上記オイルタンク２５に戻され、上記前方座面７が下降させられる。
【００５３】
上記後方座面昇降シリンダ１０を駆動させる駆動回路２８は、上記前方座面昇降シリンダ９を駆動させる駆動回路２７と同様に、上記第１の作動油供給電磁弁に対応する第２の作動油供給電磁弁３４、第２の逆止弁３５及び第２の作動油排出電磁弁３６を備えて構成されている。そして、上記前方座面７を昇降させるのと同様に、上記後方座面８を昇降させることができる。
【００５４】
本実施の形態では、上記前方座面７と上記後方座面８とが同一の高さで昇降する場合には、上記係合部１９を介して、上記後方座面８を上記前方座面と一体化した状態で上記前方座面昇降シリンダ９によって昇降させるように構成している。
【００５５】
上記前方座面昇降シリンダ９によって後方座面８を昇降させる場合、上記後方座面昇降シリンダ１０に加圧作動油が作用すると、上記後方座面昇降シリンダ１０の作動に抵抗が生じる。
【００５６】
本実施の形態では、上記問題を回避するために、上記後方座面昇降シリンダ１０に、加圧作動油を供給する作動油供給回路３７とは別に、上記オイルタンク２５から圧力の作用しない作動油を吸引できる作動油吸引回路３８を設けている。上記作動油吸引回路３８には逆止弁３９が設けられており、上記後方座面昇降シリンダ１０に吸引した作動油が、上記作動油吸引回路３８を介して上記オイルタンク２５逆流しないように構成している。
【００５７】
上記構成によって、上記後方座面昇降シリンダ１０に抵抗を発生させることなく、上記前方座面昇降シリンダ９によって上記前方座面７と上記後方座面８とを一体的に上昇下降させることができる。一方、上記後方座面昇降シリンダ１０に駆動回路２８から加圧作動油を注入することにより、上記後方座面８を、上記前方座面から独立して上昇させ、図４に示す幼児用の座面形態を構成することができる。
【００５８】
【発明の効果】
上記構成によって、幼児から大人まで座高の異なる被施術者を、頭部を背凭れ部から突出させた施術作業のしやすい高さに設定することが可能となる。また、後方座面を実質的な座面として機能させるとともに、前方座面を足置きとして機能させることにより、幼児から小学生程度までの体格の小さな被施術者を安定した姿勢で座らせることが可能となり、施術作業を円滑に行うことができる。
【００５９】
また、上記前方座面昇降シリンダ９に、加圧作動油を集中的に供給して座面７，８を一体的に上昇させることができる。このため、座面の上昇スピードを高めるこができる。
【００６０】
さらに、リンク機構等の複雑な昇降機構や、大きな容量のオイル加圧ポンプを必要としないため、装置を小型化することができる。
【図面の簡単な説明】
【図１】本願発明の理美容椅子の全体を表す側面図であり、大人用の座面形態を示す図である。
【図２】図１に示す理美容椅子の全体を上昇させた状態を示す側面図である。
【図３】図１に示す理美容椅子の前方座面と後方座面とを同じ高さに上昇させて座高の低い被施術者に適用した場合の側面図である。
【図４】図１に示す理美容椅子の後方座面を前方座面より上昇させて、幼児用座面を構成した状態の側面図である。
【図５】図１に示す座面昇降装置の油圧回路の概要を示す図である。
【符号の説明】
１  理美容椅子
２  座部
７  前方座面
８  後方座面
９  前方座面昇降機構（前方座面昇降シリンダ）
１０  後方座面昇降機構（後方座面昇降シリンダ）
１３  駆動手段（油圧装置）
１７  制御手段
【図１】
2004275319.tif 000003
【図２】
2004275319.tif 000004
【図３】
2004275319.tif 000005
【図４】
2004275319.tif 000006
【図５】
2004275319.tif 000007